(57)【特許請求の範囲】
【請求項１】
電子機器において、
穴が設けられた筐体と、
前記穴を経由して外部との間で互いに異なる作用を成す第１の外部作用部品および第２の外部作用部品の双方が搭載された基板であって、取り付ける向きに応じて、前記第１の外部作用部品および前記第２の外部作用部品のうちの一方の外部作用部品が前記穴から覗く位置に配備された基板とを備え、
前記基板が、さらに、前記第１の外部作用部品と前記第２の外部作用部品との中間の、取り付ける向きによらず不変の位置に、外部との間で所定の作用を成す第３の外部作用部品が搭載された基板であり、
前記第１の外部作用部品が音声をピックアップするマイクロホンであり、前記第２の外部作用部品がリモートコントロール用の赤外線センサであることを特徴とする電子機器。
【請求項２】
電子機器において、
穴が設けられた筐体と、
前記穴を経由して外部との間で互いに異なる作用を成す第１の外部作用部品および第２の外部作用部品の双方が搭載された基板であって、取り付ける向きに応じて、前記第１の外部作用部品および前記第２の外部作用部品のうちの一方の外部作用部品が前記穴から覗く位置に配備された基板とを備え、
前記基板が、さらに、前記第１の外部作用部品と前記第２の外部作用部品との中間の、取り付ける向きによらず不変の位置に、外部との間で所定の作用を成す第３の外部作用部品が搭載された基板であり、
前記第３の外部作用部品が、磁性体との接離を検出する磁気センサであることを特徴とする電子機器。
【請求項３】
この電子機器は、前記穴から前記赤外線センサが覗く向きに前記基板が取り付けられたものであって、
前記穴を覆い赤外線を透過するフィルタを備えたことを特徴とする請求項１記載の電子機器。
【請求項４】
この電子機器が、上面にキーボードを備えた本体部と、該本体部に対し開閉自在であって表示画面を備えた表示部とを有し、
前記筐体が、前記表示部を画定する筐体であって、
前記本体部が、前記表示部を閉じた時の前記磁気センサと重なる位置に該磁気センサに作用する磁性体を備え、
前記磁気センサが、前記表示部の開閉を検出するものであることを特徴とする請求項２記載の電子機器。
【請求項５】
電子機器において、
穴が設けられた筐体と、
前記穴を経由して外部との間で互いに異なる作用を成す第１の外部作用部品および第２の外部作用部品の双方が搭載された基板であって、取り付ける向きに応じて、前記第１の外部作用部品および前記第２の外部作用部品のうちの一方の外部作用部品が前記穴から覗く位置に配備された基板とを備え、
前記第１の外部作用部品が音声をピックアップするマイクロホンであり、前記第２の外部作用部品がリモートコントロール用の赤外線センサであり、さらに、
この電子機器は、前記穴から前記赤外線センサが覗く向きに前記基板が取り付けられたものであって、
前記穴を覆い赤外線を透過するフィルタを備えたことを特徴とする電子機器。
【発明の詳細な説明】
【技術分野】
【０００１】
本発明は、例えばパーソナルコンピュータに代表される電子機器に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードを備えた本体ユニットとその本体ユニットに対し開閉自在であって表示画面を備えた表示ユニットとを有し、使用時には本体ユニットに対し表示ユニットを立てた位置に開き、不使用時には表示画面がキーボード上に重なるよう折り畳んでおく、いわゆるノート型パーソナルコンピュータ（以下、ノートＰＣと略記する）が広く知られている。
【０００３】
また、近年では、上面に表示画面を有し全体が１つの板状に形成され、表示画面にペンを近接もしくは接触させてその近接もしくは機能位置を認識させることにより指示を入力する形式の、いわゆるタブレット型パーソナルコンピュータ（以下、タブレットＰＣと略記する）が登場してきている。
【０００４】
さらに近年では、本体ユニットと表示ユニットを、開閉自在かつ回動自在に軸支する二軸の連結部を介し連結し、表示ユニットを立ててノートＰＣとして使用可能であるとともに表示ユニットを本体ユニット上に表示画面を上向きとした状態に重ねてタブレットＰＣとしても使用可能な電子機器が登場してきている。
【０００５】
パソコン等の電子機器一般についても小型化が求められているが、特に上記のようなノートＰＣやタブレットＰＣ等の場合は可搬性が求められるため、小型化、薄型化が強く要請されている。近年では、ノートＰＣ等にも、据え置き型のいわゆるデスクトップパソコンと比べても退けをとらないだけの高機能が搭載されてきており、益々の高機能化が進んできている。したがって、このような高機能化の流れに遅れをとることなく、しかも小型化、薄型化を実現し、しかも高い操作性を維持することが求められている。また、ノートＰＣに限らず、ゲーム機、ＤＶＤレコーダやＤＶＤプレーヤ、ハードディスクレコーダ等の各種電子機器においても、設置スペースの有効利用から機器の小型化、薄型化が望まれている。
【０００６】
このような装置では、その装置のグレード（例えば標準機種と高級機種など）や仕向先（例えば国内向けと海外向けなど）により必要な機能や不要な機能が存在する場合がある。不要な機能であっても搭載しておいて使用不能にしておくことも考えられ、こうすることにより、別々な部品やモジュールを用意していずれかを実装する場合と比べ部品やモジュールの共通化、組立作業の共通化が図られ、かえってコストの上昇を抑えることができる場合もある。
【０００７】
しかしながら、筐体に穴を設けて必要のある部品が全体としては複数存在しグレードや仕向先に応じてそれら複数全部は搭載する必要がない場合、穴を設けると外観に影響を及ぼすことから搭載して使用不能にしておくことには問題があり、また不必要な穴があるとデザイン上も問題となる。
【０００８】
ここで、特許文献１には、取り付け方向を変更することにより多数の機種に共用できるプリント基板の取付構造が開示されている。しかしながら、ここに提案されているのは、同じ機能であって機種に応じて取付方向を変更するというものであって機能自体が変更されるものではない。
【特許文献１】特開２０００−２４４１５１号公報
【発明の開示】
【発明が解決しようとする課題】
【０００９】
本発明は、上記事情に鑑み、同一のモジュールを実装し、しかも筐体に穴を形成する必要がある機能であってグレードあるいは仕向先等に応じて異なる機能を搭載する場合に好適な構造を有する電子機器を提供することを目的とする。
【課題を解決するための手段】
【００１０】
上記目的を達成する本発明の電子機器は、
穴が設けられた筐体と、
上記穴を経由して外部との間で互いに異なる作用を成す第１の外部作用部品および第２の外部作用部品の双方が搭載された基板であって、取り付ける向きに応じて、上記第１の外部作用部品および第２の外部作用部品のうちの一方の外部作用部品が上記穴から覗く位置に配備された基板とを備えたことを特徴とする。
【００１１】
ここで、本発明の電子機器において、上記第１の外部作用部品が音声をピックアップするマイクロホンであり、上記第２の外部作用部品がリモートコントロール用の赤外線センサであってもよい。
【００１２】
また、本発明の電子機器において、上記基板が、さらに、上記第１の外部作用部品と上記第２の外部作用部品との中間の、取り付ける向きによらず不変の位置に、外部との間で所定の作用を成す第３の外部作用部品が搭載された基板であることが好ましく、その場合に、上記第３の外部作用部品が、磁性体との接離を検出する磁気センサであってもよい。
【００１３】
また、この電子機器は、上記穴から上記赤外線センサが覗く向きに上記基板が取り付けられたものである場合に、その穴を覆い赤外線を透過するフィルタを備えることが好ましい。このフィルタを備えることによりデザイン上一層優れたものとなる。
【００１４】
また、この電子機器が、上面にキーボードを備えた本体部と、その本体部に対し開閉自在であって表示画面を備えた表示部とを有し、上記筐体が、上記表示部を画定する筐体であって、上記本体部が、表示部を閉じた時の磁気センサと重なる位置にその磁気センサに作用する磁性体を備え、その磁気センサが、表示部の開閉を検出するものであることも好ましい形態である。
【発明の効果】
【００１５】
以上説明した本発明によれば、余計な穴を設けることなく、搭載すべきモジュール（ここでは基板）を共通化し、かつグレードあるいは仕向先に応じた機能を搭載することができる。
【発明を実施するための最良の形態】
【００１６】
以下、本発明の実施形態について説明する。
［外観］
図１〜図４は、本発明の一実施形態であるノートＰＣの外観斜視図であり、図１、図２は、前方斜めの、互いに異なる方向から見て示した斜視図、図３、図４は、後方斜めの、互いに異なる方向から見て示した斜視図である。
【００１７】
このノートＰＣ１０は、本体ユニット２０と表示ユニット３０とからなる２つの筐体を備えており、表示ユニット３０は、ヒンジ部４０で、本体ユニット２０に対し開閉自在に支持されている。
【００１８】
本体ユニット２０は、上面にキーボード２１やトラックパッド２２等が備えられており、左側面には、後で詳細に説明する構成要素として、ＰＣカードが取出し自在に挿入されてアクセスされるＰＣカードスロットの挿入口２３１が設けられており、本体ユニット２０の前面には、そのＰＣカードスロットに挿入されたＰＣカードを取り出すときにスライド操作される操作部材２３２が備えられており、その筐体内部に各種処理を行うＣＰＵ等の回路が搭載された主たる回路基板が内蔵されている。また、本体ユニット２０の右側面には、これも後で詳細に説明する構成要素として、ＣＤやＤＶＤが取出し自在に装填され装填されているＣＤあるいはＤＶＤを回転させて回転中のＣＤあるいはＤＶＤをアクセスするＣＤ／ＤＶＤドライブの端面２４１が外面に表われており、その端面２４１には、それを押すことによってそのＣＤ／ＤＶＤドライブのトレイが本体ユニットの外にスライドするイジェクトボタン２４２が備えられている。
【００１９】
また、本体ユニット２０の右側面にはさらに、一部がＣＤ／ＤＶＤドライブと上下に重なる位置に、各種の記憶メディア（スマートメディア（登録商標）、ｘＤカード（登録商標）など）が取出し自在に挿入され挿入されている記憶メディアをアクセスするメディアスロットの挿入口２５１が設けられている。
【００２０】
また、本体ユニット２０に対し表示ユニット３０が閉状態に位置するとき、表示ユニット３０で覆われる本体ユニット２０の外形は略直方体形状となっている。
【００２１】
また、表示ユニット３０は、その前面に大寸法の表示画面３１を有し、その表示画面３１を取り巻く前面カバーには、内部に配置されたマイクロホン（図示せず）に音声を導入するための穴３２が形成されている。
【００２２】
またヒンジ部４０は、表示ユニット３０を本体ユニット２０に開閉自在に支持させる構造を有している。
【００２３】
表示ユニット３０は、本体ユニット２０に対し回動可能とするとともに本体ユニット２０に対するどの開き位置でもその位置で停止させておく必要があり、このため、このヒンジ部４０には、フリクション部材４１が備えられている。このフリクション部材４１は、表示ユニット３０が本体ユニット２０に対しどの開き位置にあってもその位置にとどまるように表示ユニット３０の回動軸３３にフリクションを与える役割りを担っている。
【００２４】
さらに、本体ユニット２０の、ヒンジ部４０よりも奥の部分には、左右両側にスピーカ２６が備えられており、それら２つのスピーカ２６に挟まれた部分には、このノートＰＣ１０の各部に電力を供給するバッテリを内蔵したバッテリユニット２７が取外し自在に装着されている。このバッテリユニット２７は、２つのスピーカ２６に挟まれたバッテリ装着部に装着された状態において、バッテリユニット２７の後端面が、本体ユニット２０のスピーカ２６を支持する筐体部分とほぼ同一の面を成す寸法を有している。
［ＣＤ／ＤＶＤユニットとメディアスロット］
図５は、ＣＤ／ＤＶＤドライブおよびメディアスロットを含むユニットの分解斜視図、図６は、図５に分解斜視図を示すユニットの組立状態を示す斜視図、図７は、図６に示す矢印Ａ−Ａに沿って示す断面図、図８は、図７に一点鎖線で示す円Ｒ１の部分の拡大図である。
【００２５】
また、図９は、ＣＤ／ＤＶＤドライブおよびメディアスロットを含む、従来のユニットの分解斜視図であり、本実施形態に対する比較例である。
【００２６】
図９の比較例から先に説明する。
【００２７】
このユニット５００は、ベース板５０１と、ＣＤ／ＤＶＤドライブ５０２と、マザーボード５０３と、シャーシ５０４と、メディアユニット５０５とから構成されており、メディアユニット５０５には、メディアスロット５０５１、ＣＦカードスロット５０５２およびＰＣカードスロット５０５３が搭載されている。
【００２８】
このユニット５００を組み立てるにあたっては、ベース板５０１上にＣＤ／ＤＶＤドライブ５０２とマザーボード５０３が搭載され、ＣＤ／ＤＶＤドライブ５０２の上にシャーシ５０４が配備され、そのシャーシ５０４の上にメディアユニット５０５が配備される構造となっている。この場合、このユニット５００の、ＣＤ／ＤＶＤドライブ５０２が搭載された部分の全体の厚さは、ベース板５０１、ＣＤ／ＤＶＤドライブ５０２、シャーシ５０４およびメディアユニット５０５の各厚さを足した厚さとなる。ここでは、メディアユニット５０５に搭載されたメディアスロット５０５１に着目しており、このメディアスロット５０５１の部分の全体の厚さは、メディアユニット５０５の厚さに代えてメディアスロット５０５１の厚さを考慮することにより求められる。
【００２９】
次に、図５〜図８を参照して、本実施形態について説明する。
【００３０】
図５に示すユニット５０は、ベース板５１と、ＣＤ／ＤＶＤドライブ２４と、メディアスロット５２と、取付金具５３と、回路基板５４とから構成されている。
【００３１】
ここで、ＣＤ／ＤＶＤドライブ２４は、図７に示されているように、横に延びた第１の矩形部分２４ａと第２の矩形部分２４ｂとが重なった２段の矩形の側面の筐体を有する。また、第２の矩形部分２４ｂは、第１の矩形部分２４ａよりも横寸法が短かく、その第１の矩形部分２４ａに対し横方向片側（図７の左側）に寄せて第１の矩形部分２４ａと重ねられた形状となっている。この第１の矩形部分２４ａの内部には、ＣＤあるいはＤＶＤが装填される媒体装填部が構成されており、第２の矩形部分２４ｂの内部には、媒体装填部に装填されているＣＤあるいはＤＶＤを回転駆動する媒体駆動部が配置されている。この媒体装填部は、ＣＤあるいはＤＶＤを搭載するためのトレイを有し、イジェクトボタン２４２の操作によりトレイを排出し、トレイの収容により、媒体駆動部がトレイに搭載されたＣＤあるいはＤＶＤを回転させ、アクセスする構成となっている。ＣＤ／ＤＶＤドライブ２４の側面は媒体装填部及び媒体駆動部により略Ｌ字形状となっており、トレイの端面２４１であるパネルもこれに合わせて略Ｌ字形状となっている。
【００３２】
また、このＣＤ／ＤＶＤドライブ２４はユニット５０を組み立てた状態（ノートＰＣ１０を組み立てた状態）において、それ単体でユニット５０の収納部に着脱可能なユニットとなっており、一端面にコネクタを有し、当該コネクタはユニット５０の収納部にＣＤ／ＤＶＤドライブ２４を装着したときに回路基板５４に設けられた不図示のコネクタに接続される構成となっている。
【００３３】
ここで、メディアスロット５２はスロットの挿入口２５１に挿入される記憶メディアをアクセスするためのドライブであり、図８に示されているように、そのＣＤ／ＤＶＤドライブ２４の、第１の矩形部分２４ａに対し上下に重なる位置であって、かつ第２の矩形部分２４ｂの横に並ぶ位置に配置されている。このため、第１の矩形部分２４ａと第２の矩形部分２４ｂとで形成される窪みの部分、すなわち、第１の矩形部分２４ａと第２の矩形部分２４ｂを内包する矩形領域において、ＣＤ／ＤＶＤドライブのない部分が有効利用され、図９の比較例と比べ全体の厚さが薄く形成され、ノートＰＣ１０の、小型化、薄型化に寄与している。
［バッテリユニットとスピーカ］
図１０は、図１〜図４に斜視図を示すノートＰＣ１０の本体ユニット２０を、キーボード２１が配置された上面に対する裏面側から見て示した斜視図、図１１は、図１０に一点鎖線で示す円Ｒ２の部分の拡大図、図１２は、図１〜図４に斜視図を示すノートＰＣ１０の本体ユニット２０を、キーボード２１が配置された上面側から見て示した斜視図、図１３は、図１２に一点鎖線で示す円Ｒ３の部分の拡大図である。ここで図１０、図１２には、バッテリユニット２７が、本体ユニット２０から取り外された状態の分解斜視図が示されており、図１１には、スピーカが搭載された筐体部分の、バッテリ装着部側の面が示されており、図１３には、バッテリユニット２７の、本体ユニット２０への装着端面が示されている。
【００３４】
前述したとおり、本体ユニット２０の、ヒンジ部４０よりも奥側の部分には、このノートＰＣの各部への電力の供給を担うバッテリユニット２７が取外し自在に装着されるバッテリ装着部２７１が形成されている。バッテリユニット２７は略直方体の外形であり、その長手方向の一側面に少なくとも電源端子をもつコネクタを有し、そのケース内にこのコネクタと結線される複数のバッテリセルを内蔵している。このバッテリユニット２７は本体ユニット２０の背面側からスライドして本体ユニット２０のバッテリ装着部２７１に挿入することで、両者のコネクタが接続された状態で本体ユニット２０に装着される。また、バッテリ装着部２７１の両側には、外部に向けて音声を出力するスピーカ２６が配備されている。
【００３５】
ここで、本体ユニット２０のスピーカ２６を支持する筐体部分は、本体ユニット２０の奥側に向けて突出した形状に形成されており、この筐体部分は、バッテリ装着部２７１に装着されたバッテリユニット２７と略同一面を形成する位置まで突出しており、バッテリ装着部２７１にバッテリユニット２７が装着された状態では、スピーカ２６を支持する筐体部分とバッテリユニット２７とが略同一面を成す形状となっている。つまり、本体ユニット２０のスピーカ２６を支持する筐体部分は、本体ユニット２０に対し表示ユニット３０を閉状態にしたとき、表示ユニット３０で覆われない箇所に位置している。
【００３６】
従来、バッテリユニットは、本体ユニットの奥側に、本体ユニットの筐体からバッテリユニットのみが突出した状態に装着され、そのためバッテリユニットの半分程度しか本体ユニットに取り付けられておらず、不安定さを感じさせたり、運搬時に本体ユニットとバッテリユニットのコネクタ結合部分にバッテリユニットの自重による負荷がかかって破損しやすくなってしまったり、運搬時にバッテリユニットを何かにぶつけて破損してしまいがちな構造を有していることが多いが、本実施形態の場合、スピーカ２６を支持する筐体部分がバッテリユニット２７と同じレベルまで突出しており、バッテリ装着部２７１にバッテリユニット２７が装着された状態では、ほぼ同一面となっているため、バッテリユニット２７の装着時の安定感が向上している。また、この構造は、本体ユニットとバッテリユニットのコネクタ接続部分にバッテリユニット２７の自重による負荷がかかることを解消する。
【００３７】
また、バッテリユニット２７の両側面には、長溝２７３（図１３参照）が形成されている。この長溝２７３は、本体ユニット２０のスピーカ２６が配備された筐体部分の、バッテリ装着部２７１側の面に形成された突条２７２（図１１参照）に嵌入する。この長溝２７３は、バッテリユニット２７のほぼ全幅に延びており、このため、安定感のみでなく、バッテリユニット２７が実際にもしっかりと本体ユニット２０に支持されることになる。また、この長溝２７３全体（バッテリユニット２７のほぼ全幅）でバッテリユニット２７を支持することになり、長溝２７３もバッテリユニット２７の自重によるコネクタへの負荷応力を解消することに寄与する。
【００３８】
さらに、図１１に示すように、バッテリユニット２７の側面の長溝２７３に入り込む突条２７２は、２つの部分２７２ａ，２７２ｂに分かれている。バッテリ装着部２７１に装着されているバッテリユニット２７をそのバッテリ装着部２７１から取り外す際は、図１０に示す２つの操作部材２７４をスライドさせて突条２７２に係合する爪（図示せず）をバッテリユニット２７の内側に引き込めて取り外す。このとき、突条２７２が２つの部分２７２ａ，２７２ｂに分かれているため、爪を一旦引き込めてバッテリユニット２７を取り外そうとしたとき、その爪はバネによりバッテリユニット２７から飛び出る方向に付勢されているため、１つの部分２７２ｂを乗り越えたところで２つの部分２７２ａ，２７２ｂの間に入り込み、もう１つの部分２７２ａに係止してそこで一旦そのままでは抜けない状態となる。操作部材２７４を再度操作して爪を再度引き込めてバッテリユニット２７を再度引き抜くことにより最終的にバッテリユニット２７がバッテリ装着部２７１から取り外される。このような２段階の取外し操作を必要とする構造となっていることで、取外し時にバッテリユニット２７がいきなり外れて落下させてしまうこと等の事故が防止される。
［カード排出機構］
図１４は、本体ユニット２０を、ＰＣカードの取出し操作を中心に示した斜視図、図１５は、本体ユニットの分解斜視図、図１６は、上カバーを取り外した状態の本体ユニットの平面図、図１７は、図１６に示す平面図のうちの、一点鎖線で示す楕円Ｒ４の部分の拡大図である。
【００３９】
図１４には、図１にも示す、ＰＣカードスロットの挿入口２３１と、そのＰＣカードスロットに挿入されたＰＣカードを取り出すときにスライド操作される操作部材２３２が示されている。ここでは、ＰＣカードスロットにＰＣカードが挿入されている状態において、操作部材２３２を図１４に示す矢印Ａ方向にスライド操作すると、挿入口２３１からＰＣカードの一部が矢印Ｂ方向に突出し、その突出した部分を指でつまんで引き出すことによりＰＣカードをＰＣカードスロットから取り出すことができる。
【００４０】
この本体ユニット２０は、図１５に示すように、ＰＣカードスロット２３やその他の様々な部品が配備された下カバー２０１と、キーボード２１と、下カバー２０上にキーボード２１を置いてさらにその上から被せる上カバー２０２とに分けられることができる。さらに図１５には、操作部材２３２と、その操作部材２３２と係合するスライド金具２３３とからなる排出機構部も、分解した状態が示されている。
【００４１】
下カバー２０１には、切欠き部２０１ａが形成されており、上カバー２０２にもそれと対応した位置に切欠き部２０２ａが形成されており、下カバー２０１と上カバー２０２が組み合わされたときに、それらの切欠き部２０１ａ，２０２ａにより、本体ユニット２０の内外をつなぐ開口が形成される構造となっている。
【００４２】
ここで、操作部材２３２は、突出した係合爪２３２ａを有し、操作部材２３２は下カバー２０１と上カバー２０２とで構成されるカバーの表面に配置され、その係合爪２３２ａが２つの切欠き部２０１ａ，２０１ｂで形成される開口を通ってカバー内部に突出している。一方、スライド金具２３３は、カバーの内側に配備され、そのスライド金具２３３に設けられた係合穴２３３ａに、操作部材２３２の、カバー内側に突出した係合爪２３２ａが入り込み、操作部材２３２をスライド操作すると、スライド金具２３３も、その操作部材２３２と一体的にカバーの内壁に沿ってスライドする。
【００４３】
スライド金具２３３は、断面がＬ字形状に折り曲げ加工され、その一面２３３ｂがカバー内面に接するように配置されて、もう一方の面２３３ｃである天板部に形成された長穴２３３ｅをビス２３４が貫通して、そのビス２３４が、下カバー２０１に立設したボス中央のネジ穴２３５に締結する構造を有している。スライド金具２３３は、操作部材２３２と係合してその操作部材２３２により支持され、さらに長穴２３３ｃを貫通して螺合したビス２３４によりガイドされて、操作部材２３２のスライド操作に応じてその操作部材２３２と一体的に、そのＬ字形状の峰２３３ｄの延びる方向にスライドする。
【００４４】
ＰＣカードスロット２３には、図１７に示されているように、媒体排出レバー２３５が備えられている。この媒体排出レバー２３５は、図示しないＰＣカードが挿入口２３１からＰＣカードスロット２３内に挿入されるときにそのＰＣカード２３１から力を受けて、図に実線で示す媒体挿入位置に移動し、操作部材２３２が、図１４に示す矢印Ａ方向にスライド操作されると、そのスライド操作により操作部材２３２と一体的にスライド金具２３３がスライドして媒体排出レバー２３５を押して、その媒体排出レバー２３５を図１７に一点鎖線で示す媒体取出位置に移動させる。媒体排出レバー２３５は、図１７に実線で示す媒体挿入位置から図１７に一点鎖線で示す媒体取出位置に移動する間、ＰＣカードスロット２３内部では、そのＰＣカードスロット２３内に挿入されているＰＣカードを、そのＰＣカードの一部がＰＣカードスロット２３から突出して指でつまんで取り出せる位置まで図１４に示す矢印Ｂ方向に押し出す。本実施形態では、Ｌ字形状に折り曲げ加工したスライド金具２３３を採用し、操作部材２３２とスライド金具２３３とで本体ユニットのカバーの壁を内外から挟む構成としたため、上カバー２０１や下カバー２０２の壁は、スライドのガイドとしてのみ利用され、それらのカバーの強度は利用されておらず、カバーを薄肉の材料で形成することができ、装置全体の小型化、軽量化に寄与している。
【００４５】
また、本実施形態では、本体ユニットのカバー内でビス２３４によりスライド金具２３３が上下浮動状態になることを抑止しつつ移動できる構成としているので、スライド金具２３３を支持する操作部材２３２は、その操作部材２３２の移動範囲を内周とする操作部材用のフレームがなくても良好に操作することができる。従って、このようなフレームを必要としないので、本実施形態の構成によりフレームの枠幅分のスペースを削減することができ、装置全体の小型化に寄与する。
［コネクタ部の構造］
図１８は、本体ユニット内の回路基板およびコネクタの一部分の構造を示した斜視図、図１９は、図１８と同じ部分の、コネクタ結合前の状態を示す平面図、図２０は、図１８、図１９と同じ部分の、コネクタ結合時の状態を示した平面図である。
【００４６】
図１８には、基板アセンブリ６１とメイン基板６２が示されている。基板アセンブリ６１は、所定間隔を空けて互いに固定された２枚の回路基板６１１，６１２で構成されており、それら２枚の回路基板６１１，６１２のうちの一方の回路基板６１２の、もう一方の回路基板６１１を向いた面の、一辺に寄った位置に、コネクタ６３が搭載されている。このコネクタ６３は、ケーブル６４の先端に接続されたもう１つのコネクタ６５と組み合う構造を有しており、これらのコネクタ６３，６５を介して、ここに示す回路基板上の回路とケーブル６４の反対側の先端が接続された回路部品（図示せず）との間で信号のやりとりをするように構成されている。この基板アセンブリ６１は、コネクタ６３が搭載されている基板６１２の面をメイン基板６２側にして、そのメイン基板６２との間に所定間隔を隔ててメイン基板６２に固定される。
【００４７】
ここで、基板アセンブリ６１を構成する２枚の回路基板６１１，６１２のうちの上側の回路基板６１１には、その回路基板６１１の、コネクタ６３が搭載されている下側の回路基板６１２に搭載されているコネクタ６３に対向する部分に、そのコネクタ６３を視認させる切欠き部６１１ａが形成されている。この切欠き部６１１ａがないとコネクタ６３の視認性が極端に悪く、基板アセンブリ６１をメイン基板６２に固定した状態でコネクタ６３にコネクタ６５を組み合わせるときの作業が手さぐり的なものとなり、作業の能率が極端に悪化する。これに対し、本実施形態では、回路基板６１１に切欠き部６１１ａが設けられているためコネクタ６３の視認性が極めて良好であり、コネクタ６３にコネクタ６５を嵌合するときの作業性が大幅に改善される。
［フリクション部材の取付構造］
図２１は、図１に示すフリクション部材４１の、表示ユニット３０の背面バーへの取付構造を示す分解斜視図、図２２は、そのフリクション部材を背面カバー上に配置した状態を示した斜視図である。
【００４８】
また、図２３は、従来構造のフリクション部材の取付構造を示す分解斜視図、図２４は、その従来構造のフリクション部材を下カバーに配置した状態を示した斜視図である。
【００４９】
図２１、図２２は、図１〜図４に外観を示す一実施形態としてのノートＰＣで採用されている構造であり、図２３、図２４は、その比較例に相当する。
【００５０】
ここでは、図２３、図２４に示す比較例から先に説明する。
【００５１】
表示ユニットを構成する背面カバー１３０１には、表示画面３１を視認可能とする前面カバー（図示せず）が被せられたときに開口となる切欠き部１３０１ａが形成されており、フリクション部材１０４１は、この切欠き部１３０１ａを通って背面カバー１３０１の外側と内側とに跨るように配置される。このフリクション部材１０４１は、切欠き部１３０１ａから背面カバー１３０１の内側に入り、両側にそれぞれ広がる２つのアーム１０４１ａ，１０４１ｂを有し、それら２つのアーム１０４１ａ，１０４１ｂには、それぞれネジ止め用の穴１０４１ｃ，１０４１ｄが形成されている。一方、背面カバー１３０１には、それら両側に広がる２つのアーム１０４１ａ，１０４１ｂのネジ止め用の穴１０４１ｃ，１０４１ｄが置かれる箇所にボス１３０１ｂ，１３０１ｃが立設しており、各ボス１３０１ｃ，１３０１ｃの中央にはネジ穴１３０１ｄ，１３０１ｅが形成されている。これら２つのボス１３０１ｂ，１３０１ｃの上に２つのアーム１０４１ａ，１０４１ｂを乗せそれらのネジ止め用の穴１０４１ｃ，１０４１ｄとネジ穴１３０１ｄ，１３０１ｅを使ってネジ止めすることにより、フリクション部材１０４１が背面カバー１３０１に固定される。この図２３、図２４に示す比較例の場合、背面カバー１３０１が、図２４に示すｘ方向に関し余裕があるときはこの比較例の固定構造を採用することが可能であるが、大型の表示モジュールを搭載するような場合などのように、ｘ方向の寸法に余裕がないときは、仮に背面カバー１３０１の寸法をこの取付けのためにのみ広げるとすると機器の小型化の要請に反することになる。
【００５２】
次に、図２１、図２２に示す実施形態について説明する。
【００５３】
図２１、図２２に示すフリクション部材４１は、表示ユニット３０（図１参照）の背面カバー３０１の内部で固定され、その背面カバー３０１に形成された、前面カバー（図示せず）が被せられたときに開口となる切欠き部３０１ａを通ってその背面カバー３０１の外部にまで延在する部品である。
【００５４】
このフリクション部材４１の、切欠き部３０１ａから背面カバー３０１の内側に入り込んだ部分は、その切欠き部３０１ａから背面カバー３０１内に入りその背面カバー３０１の内壁に沿って図２１、図２２の左側の方向に延在する第１のアーム４１１と、切欠き部３０１ａから背面カバー３０１内に入りその背面カバー３０１の内壁に沿って図２１、図２２の右側の方向に延在する第２のアーム４１２とから構成されている。
【００５５】
ここで、背面カバー３０１には、第１のアーム４１１が延在する部分に、背面カバー３０１の内側に突出した係合突起３０１ｂを有し、フリクション部材４１の第１のアーム４１１には、この係合突起３０１ｂに対応する位置に、その係合突起３０１ｂに係合する切欠き部４１１ａを有し、このフリクション部材４１が背面カバー３０１に配置されたとき、図２２に示すように、背面カバー３０１の係合突起３０１ｂにフリクション部材４１の第１のアーム４１１の切欠き部４１１ａが嵌め合わされる。
【００５６】
一方、フリクション部材４１の第２のアーム４１２は、背面カバー３０１の内壁に沿って延在し、さらに９０度折れ曲がり、その折れ曲がった部分にネジ止め用の２つの穴４１２ａ，４１２ｂと、それら２つの穴４１２ａ，４１２ｂの中央に位置決め用の穴４１２ｃが形成されている。
【００５７】
一方、背面カバー３０１には、フリクション部材４１の第２のアーム４１２の、ネジ止め用の２つの穴４１２ａ，４１２ｂが置かれる位置に、中央にネジ穴３０１ｆ，３０１ｇが形成された２つのボス３０１ｃ，３０１ｄが立設し、それら２つのボス３０１ｃ，３０１ｄの中央には、フリクション部材４１の第２のアーム４１２の位置決め用の穴４１２ｃに嵌入するピン３０１ｅが立設している。
【００５８】
このフリクション部材４１を背面カバー３０１に固定するにあたっては、図２２に示すように、フリクション部材４１の第１のアーム４１１の切欠き部４１１ａを背面カバー３０１の係合突起３０１ｂに係合させ、第２のアーム４１２の位置決め用の穴４１２ｃに背面カバー３０１のピン３０１ｄを嵌入させる。そうすると、第２のアーム４１２の２つのネジ止め用の穴４１２ａ，４１２ｂが、ちょうど、２つのボス３０１ｃ，３０１ｄのネジ穴３０１ｆ，３０１ｇと連通する位置に重なる。こうしておいて、ネジ止め用穴４１２ａ，４１２ｂとネジ穴３０１ｆ，３０１ｇを利用して、フリクション部材４１が背面カバー３０１にネジ止めされる。
【００５９】
このような、２つのアーム４１１，４１２のうちの一方のアーム４１１は係合のみとし、もう一方のアーム４１２でネジ止め等により固定する構造とすることにより、本実施形態の場合のように、図２２に示す背面カバー３０１のｘ方向の寸法に余裕がなくてもｙ方向の寸法に余裕を見つけることができるときは、その部分にまでアームを延ばしてその部分で固定するなど、柔軟な固定構造を採用することができる。
［マイクロホンと赤外線センサ（その１）］
前述したように、本実施形態のノートＰＣ１０（図１参照）には、表示ユニット３０の表示画面３１を囲う前面カバー内にマイクロホンが内蔵されており、その前面カバーには、その内部に配置されたマイクロホンに音声を導入するための穴３２が形成されている。ただし、本実施形態のノートＰＣは、その穴３１の内部に、マイクロホンを内蔵することに代えて、このノートＰＣ１０を赤外線信号でリモートコントロールするための赤外線センサを内蔵することもできる構造となっている。以下では、内部にマイクロホンを内蔵した構成と、内部に赤外線センサを内蔵した構成との双方について説明する。
【００６０】
図２５は、マイクロホンを内蔵した場合のノートＰＣの外観斜視図、図２６は、図２５に一点鎖線で示す円Ｒ５の部分の拡大図である。
【００６１】
図２５には、図１、図２にも示したとおり、表示ユニット３０の前面カバーの部分に、内部に配置されたマイクロホンに音声を導くための穴３２が形成されていることが示されている。なお、後述する光学フィルタ３５の外周形状とほぼ同様の形状で、その光学フィルタ３５の厚みに相当する深さの窪みが形成され、穴３２はその窪み内に形成されている。
【００６２】
図２７は、マイクロホンに代わり赤外線センサを内蔵した場合のノートＰＣの外観斜視図、図２８は、図２７に一点鎖線で示す円Ｒ６の部分の拡大図である。
【００６３】
ここでは、可視光をカットするとともに赤外線を透過させる光学フィルタ３５が穴３２（図２５、図２６参照）の上に貼り付けられている。光学フィルタ３５は前述の窪み内に貼り付けられ、その窪みの深さのため、光学フィルタ３５の前面は表示ユニット３０の前面カバーの面とほぼ同面になり、優れたデザインを提供することができる。この光学フィルタ３５の貼付により、図２５、図２６に示す穴３２が人間の目に対しては隠れてデザイン上優るとともに埃などの進入が防止されている。一方、その光学フィルタ３５は赤外線を透過させるため、その内側に配置された赤外線センサはリモートコントローラからの赤外線信号を正常に受信することができるとともに、可視光のカットによりノイズの低減化もなされている。
【００６４】
図２９は、表示ユニット３０の表示画面３１の周囲の前面を覆う前面カバーを取り外した状態のノートＰＣの外観斜視図、図３０は、図２９に一点鎖線で示す円Ｒ７の部分の拡大図、図３１は、赤外線センサが搭載された回路基板の平面図、図３２は、マイクロホンを含むマイクロユニットとそのマイクロホンでピックアップした信号を処理するための回路基板の平面図である。
【００６５】
図３１に示すように、回路基板７１には、リモートコントロール用の赤外線信号を受信する赤外線センサ７２が搭載されており、この回路基板７１は、表示ユニット３０の、図２９、図３０に示す位置にネジ止めされる。このとき、赤外線センサ７２は、ちょうど、図２５、図２６に示す穴３２の内側に位置し、光学フィルタ３５（図２７、図２８参照）、穴３２（図２５、図２６参照）を通過してきた赤外線信号が赤外線センサ７２で受信される。この赤外線センサ７２で受信した信号は回路基板７１上の回路で処理され、このノートＰＣはその受信信号に応じた動作を実行する。
【００６６】
また、図２５、図２６に示す穴３２の内側にマイクロホンを配置するときは、図３２に示す形状の、マイクロホン７３を備えたマイクロホンユニット７４と、そのマイクロホンでの受音信号を処理する回路が搭載された回路基板７６が使用される。マイクロホンユニット７４には、表示ユニット３０に設けられた位置決めピン３６（図３０参照）が入り込む位置決め穴７５が形成されており、そのマイクロホンユニット７４を、その穴７５にピン３６が入り込むように配置すると、マイクロホン７３がちょうど、図２５、図２６に示す穴３２の内側の位置に配置される。このマイクロホン７３と回路基板７６は図示しないケーブルで接続されており、回路基板７６は、マイクロホンユニット７４の直ぐ下の位置に、ネジ止めにより固定される。
【００６７】
ここで、マイクロホンを配備するか赤外線センサを配備するかは、本実施形態では国内向けか海外向けかという仕向先に応じてノートＰＣの組立時に選択される。ただし、仕向先ではなく、ノートＰＣのグレードに応じて選択してもよい。
【００６８】
ここでは、上記のように、同じ穴３２を経由して外部との間で互いに異なる作用を成す複数種類の外部作用部品（本実施形態ではマイクロホンと赤外線センサ）のうちのいずれか１種類を配備するようにしたため、余計な穴を設ける必要がなく、デザイン上も優れたノートＰＣとなる。
【００６９】
また、この穴３２を表示ユニット３０の前面カバーに設けたため、穴３２は表示ユニット３０の開状態で高い位置となり、マイクロホンと赤外線センサのいずれを搭載する場合であってもマイクロホンの集音効果、赤外線センサの受信感度を良好にすることができる。
［マイクロホンと赤外線センサ（その２）］
次に、図２５〜図３２を参照して説明したマイクロホンと赤外線センサの配置構造に代えて採用することのできる、マイクロホンと赤外線センサのもう１つの配置構造について説明する。
【００７０】
図３３は、マイクロホンと赤外線センサの双方が搭載された回路基板の平面図である。図３３（Ａ）と図３３（Ｂ）は、同じ回路基板を上下逆にして示したものである。
【００７１】
この回路基板８０の中央には、磁性体との接離を検出する磁気センサ８１が搭載されており、その回路基板８０の一方の端部にはマイクロホン８２が搭載されており、その回路基板８０のもう一方の端部にはリモートコントロール用の赤外線信号を受信する赤外線センサ８３が配置されている。さらに、この回路基板８０には、磁気センサ８１とマイクロホン８２との間、および磁気センサ８１と赤外線センサ８３との間には、この回路基板８０をネジ止めするための２つの穴８４，８５が設けられている。ここで、この回路基板８０を、磁気センサ８１を中心に１８０度回転させたとき、ネジ止め用の２つの穴８４，８５は、２つの穴の位置が互いに交替し同一の位置にネジ止めされるようになっている。また、マイクロホン８２と赤外線センサ８３は、ちょうどそれらの位置が入れ替わっている。
【００７２】
図３４は、ノートＰＣの表示ユニット３０の平面図であり、図３４（Ａ）は、表示画面３１の周囲の前面を覆う前カバーを取り外したときの表示ユニットを示しており、図３４（Ｂ）は、その前カバーを取り付けた状態の表示ユニットを示している。
【００７３】
この表示ユニット３０の背面側のカバーには、回路基板８０を固定するための２つのネジ穴３８，３９が形成されており、その２つのネジ穴３８，３９と回路基板８０に設けられたネジ止め用の２つの穴８４，８５とを合わせてネジ止めする。こうすると回路基板８０の向きによらず磁気センサ８１は同一の位置に配置され、回路基板８０の向きに応じて、マイクロホン８２あるいは赤外線センサ８３が穴３２の内側に配置される。回路基板８０を、穴３２の内側に赤外線センサ８３が配置される向きにネジ止めしたときは、穴３２の上に、赤外線を透過するとともに可視光をカットする光学フイルタが貼付される。このノートＰＣの本体ユニット２０（図１、図２参照）には、表示ユニット３０に固定された回路基板８０上の磁気センサ８１に対応する位置に磁性体（図示せず）が配置され、表示ユニット３０を本体ユニット２０上に閉じると磁気センサ８１が磁性体を検出して表示ユニット３０が閉じられたことが認識され、表示ユニット３０を本体ユニット２０から開くと磁気センサ８１が磁性体を検出しなくなって表示ユニット３０が開かれたことが認識される。この開閉の認識は、例えばこのノートＰＣへの電力供給やモード切替え等に利用される。
【００７４】
これらマイクロホン８２と赤外線センサ８３は、１台のノートＰＣでは、回路基板８０の取付けの向きに応じてそれらのうちのいずれか一方のみが利用される。
【００７５】
図３３、図３４を参照して説明した配置構造によれば、仕向先やグレードによらず同一の回路基板を利用することができ、管理すべき部品点数が減り、また部品の共通化によるコストダウンを図ることができる。また、１つの穴しか利用しないのにマイクロホン用と赤外線センサ用との２つの穴を設ける場合と比べ、デザイン上も優れたものとなる。
【図面の簡単な説明】
【００７６】
【図１】本発明の一実施形態であるノートＰＣを前方斜めから見て示した外観斜視図である。
【図２】図１に示すノートＰＣを、前方斜めの、図１とは異なる方向から見て示した外観斜視図である。
【図３】図１に示すノートＰＣを、後方斜めから見て示した外観斜視図である。
【図４】図１に示すノートＰＣを後方斜めの、図３とは異なる方向から見て示した外観斜視図である。
【図５】ＣＤ／ＤＶＤドライブおよびメディアスロットを含むユニットの分解斜視図である。
【図６】図５に分解斜視図を示すユニットの組立状態を示す斜視図である。
【図７】図６に示す矢印Ａ−Ａに沿って示す断面図である。
【図８】図７に一点鎖線で示す円Ｒ１の部分の拡大図である。
【図９】ＣＤ／ＤＶＤドライブおよびメディアスロットを含む、従来のユニットの分解斜視図であり、本発明に対する比較例である。
【図１０】図１〜図４に斜視図を示すノートＰＣの本体ユニットを、キーボードが配置された上面に対する裏面側から見て示した斜視図である。
【図１１】図１０に一点鎖線で示す円Ｒ２の部分の拡大図である。
【図１２】図１〜図４に斜視図を示すノートＰＣの本体ユニットを、キーボードが配置された上面側から見て示した斜視図である。
【図１３】図１２に一点鎖線で示す円Ｒ３の部分の拡大図である。
【図１４】本体ユニットを、ＰＣカードの取出し操作を中心に示した斜視図である。
【図１５】本体ユニットの分解斜視図である。
【図１６】上カバーを取り外した状態の本体ユニットの平面図である。
【図１７】図１６に示す平面図のうちの、一点鎖線で示す楕円Ｒ４の部分の拡大図である。
【図１８】本体ユニット内の回路基板およびコネクタの一部分の構造を示した斜視図である。
【図１９】図１８と同じ部分の、コネクタ結合前の状態を示す平面図である。
【図２０】図１８、図１９と同じ部分の、コネクタ結合時の状態を示した平面図である。
【図２１】図１に示すフリクション部材の、表示ユニットの背面カバーへの取付構造を示す分解斜視図である。
【図２２】フリクション部材を背面カバーに配置した状態を示した斜視図である。
【図２３】従来構造のフリクション部材の取付構造を示す分解斜視図である。
【図２４】従来構造のフリクション部材を背面カバーに配置した状態を示した斜視図である。
【図２５】マイクロホンを内蔵した場合のノートＰＣの外観斜視図である。
【図２６】図２５に一点鎖線で示す円Ｒ５の部分の拡大図である。
【図２７】マイクロホンに代わり赤外線センサを内蔵した場合のノートＰＣの外観斜視図である。
【図２８】図２７に一点鎖線で示す円Ｒ６の部分の拡大図である。
【図２９】表示ユニットの表示画面の周囲の前面を覆う前面カバーを取り外した状態のノートＰＣの外観斜視図である。
【図３０】図２９に一点鎖線で示す円Ｒ７の部分の拡大図である。
【図３１】赤外線センサが搭載された回路基板の平面図である。
【図３２】マイクロホンを含むマイクロユニットとそのマイクロホンでピックアップした信号を処理するための回路基板の平面図である。
【図３３】マイクロホンと赤外線センサの双方が搭載された回路基板の平面図である。
【図３４】ノートＰＣの表示ユニットの平面図である。
【符号の説明】
【００７７】
１０    ノートＰＣ
２０    本体ユニット
２１    キーボード
２２    トラックパッド
２３    ＰＣカードスロット
２４    ＣＤ／ＤＶＤドライブ
２６    スピーカ
２７    バッテリユニット
３０    表示ユニット
３１    表示画面
３２    穴
３３    回動軸
４０    ヒンジ部
４１    フリクション部材
５０    ユニット
５１    ベース板
５２    メディアスロット
５３    取付金具
５４    回路基版
６１    基板アセンブリ
６２    メイン基板
６３    コネクタ
６４    ケーブル
６５    コネクタ
７１    回路基板
７２    赤外線センサ
７３    マイクロホン
７４    マイクロホンユニット
７５    位置決め用の穴
７６    回路基板
２３１    挿入口
２３２    操作部材
２３３    スライド金具
２３５    媒体排出レバー
２７１    バッテリ装着部
３０１    背面カバー
３０１ａ    切欠き部
３０１ｂ    係合突起
３０１ｃ，３０１ｄ    ボス
３０１ｅ    位置決めピン
３０１ｆ，３０１ｇ    ネジ穴
４１１    アーム
４１１ａ    切欠き部
４１２    アーム
４１２ａ，４１２ｂ    ネジ止め用の穴
４１２ｃ    位置決め用の穴
６１１    回路基板
６１１ａ    切欠き部
６１２    回路基板
【図１】
0004612505.tif 000002
【図２】
0004612505.tif 000003
【図３】
0004612505.tif 000004
【図４】
0004612505.tif 000005
【図５】
0004612505.tif 000006
【図６】
0004612505.tif 000007
【図７】
0004612505.tif 000008
【図８】
0004612505.tif 000009
【図９】
0004612505.tif 000010
【図１０】
0004612505.tif 000011
【図１１】
0004612505.tif 000012
【図１２】
0004612505.tif 000013
【図１３】
0004612505.tif 000014
【図１４】
0004612505.tif 000015
【図１５】
0004612505.tif 000016
【図１６】
0004612505.tif 000017
【図１７】
0004612505.tif 000018
【図１８】
0004612505.tif 000019
【図１９】
0004612505.tif 000020
【図２０】
0004612505.tif 000021
【図２１】
0004612505.tif 000022
【図２２】
0004612505.tif 000023
【図２３】
0004612505.tif 000024
【図２４】
0004612505.tif 000025
【図２５】
0004612505.tif 000026
【図２６】
0004612505.tif 000027
【図２７】
0004612505.tif 000028
【図２８】
0004612505.tif 000029
【図２９】
0004612505.tif 000030
【図３０】
0004612505.tif 000031
【図３１】
0004612505.tif 000032
【図３２】
0004612505.tif 000033
【図３３】
0004612505.tif 000034
【図３４】
0004612505.tif 000035